【手続補正書】
【提出日】平成16年6月21日(2004.6.21)
【手続補正１】
【補正対象書類名】明細書
【補正対象項目名】発明の名称
【補正方法】変更
【補正の内容】
【発明の名称】液晶表示装置及び液晶表示装置の製造方法
【手続補正２】
【補正対象書類名】明細書
【補正対象項目名】特許請求の範囲
【補正方法】変更
【補正の内容】
【特許請求の範囲】
【請求項１】
対向する一対の基板間に液晶を挟持してなり、前記基板の内面に形成された一対の電極によって形成される画素領域を複数有する液晶表示装置において、
複数の色を含むカラーフィルタと、
前記画素領域に対応して設けられた反射層と、を具備し、
前記画素領域は、前記カラーフィルタの着色パターンが形成された部位、及び前記着色パターンが形成されない部位を有し、
前記着色パターンが形成された部位の面積が、前記色同士で互いに異なることを特徴とする液晶表示装置。
【請求項２】
請求項１に記載の液晶表示装置において、前記着色パターンは単一の島形状の着色パターンであることを特徴とする液晶表示装置。  
【請求項３】
請求項２に記載の液晶表示装置において、前記着色パターンが形成されない部位が、前記着色パターンが形成された部位の周囲に設けられてなることを特徴とする液晶表示装置。
【請求項４】
請求項１に記載の液晶表示装置おいて、前記着色パターンは複数の着色パターンでなることを特徴とする液晶表示装置。
【請求項５】
請求項１乃至４のいずれかに記載の液晶表示装置おいて、前記カラーフィルタが赤、青、緑の色を含むことを特徴とする液晶表示装置。
【請求項６】
対向する一対の基板間に液晶を挟持してなり、前記基板の内面に形成された一対の電極によって形成される画素領域を複数有する液晶表示装置の製造方法において、
複数の色を含むカラーフィルタを形成する工程と、
前記画素領域に反射層を形成する工程と、を具備し、
前記カラーフィルタを形成する工程において、
前記画素領域に、前記カラーフィルタの着色パターンを部分的に形成し、
前記着色パターンが形成された部分の面積を、前記色同士で互いに異ならせることを特徴とする液晶表示装置の製造方法。
【請求項７】
請求項６に記載の液晶表示装置の製造方法において、前記着色パターンは単一の島形状に形成することを特徴とする液晶表示装置の製造方法。  
【請求項８】
請求項６に記載の液晶表示装置の製造方法おいて、前記着色パターンは複数の着色パターンで形成することを特徴とする液晶表示装置の製造方法。
【手続補正３】
【補正対象書類名】明細書
【補正対象項目名】００１８
【補正方法】変更
【補正の内容】
【００１８】
【課題を解決するための手段】
上記課題を解決するために本発明が講じた手段は、対向する一対の基板間に液晶を挟持してなり、前記基板の内面に形成された一対の電極によって形成される画素領域を複数有する液晶表示装置において、複数の色を含むカラーフィルタと、前記画素領域に対応して設けられた反射層と、を具備し、前記画素領域は、前記カラーフィルタの着色パターンが形成された部位、及び前記着色パターンが形成されない部位を有し、前記着色パターンが形成された部位の面積が、前記色同士で互いに異なることを特徴とする。
【手続補正４】
【補正対象書類名】明細書
【補正対象項目名】００１９
【補正方法】変更
【補正の内容】
【００１９】
本発明によれば、カラーフィルタが画素領域内において所定の平面パターンで部分的に形成されているため、一方の基板から入射された光は、カラーフィルタを透過する際に、各画素領域内においてそれぞれカラーフィルタの形成されている部分と形成されていない部分とによって色調的に変調されるので、液晶層が透明状態になっても、背景が映し込まれたり、直射光がそのままの状態で目に入ったりすることがなくなるから、画素領域によって形成される表示に影響を与えることなく、しかも、表示の明るさを犠牲にすることなく、液晶表示装置の視認性を向上させることができる。また、カラーフィルタの形成されていない部分も存在するため、電極の電界をカラーフィルタを介することなく直接に液晶に印加することができるため、駆動電圧の低減と駆動電圧のマージンの拡大を図ることも可能である。
【手続補正５】
【補正対象書類名】明細書
【補正対象項目名】００２０
【補正方法】変更
【補正の内容】
【００２０】
ここで、液晶層は液晶分子の中に高分子が分散した構成であり、電圧の印加状態により光透過状態と光散乱状態とを制御してなるものである。さらに、前記カラーフィルタが赤、青、緑の色要素、もしくはイエロー、マゼンダ、シアン、の色要素からなる。前記画素領域内における前記カラーフィルタの形成面積の割合が前記色要素のうち少なくとも２種について相互に異なることが好ましい。この手段によれば、カラーフィルタの形成面積の割合を色同士で互いに異ならせることによって、形成面積の割合によって色調を相互に調整することができ、色要素自体の色調を変えることなくカラーフィルタの色調特性を調整することができるから、高品位のカラー表示を実現することができる。
【手続補正６】
【補正対象書類名】明細書
【補正対象項目名】００２１
【補正方法】変更
【補正の内容】
【００２１】
また、前記カラーフィルタの平面パターンは、前記画素領域内において単一の島状に形成されていることが好ましい。
【手続補正７】
【補正対象書類名】明細書
【補正対象項目名】００２２
【補正方法】変更
【補正の内容】
【００２２】
この場合には、カラーフィルタを単一の島状に形成することによって、例えばマスクパターンの大きさを変更するなどの軽微な変更のみで対応することができるため、従来の製造工程をほとんど変えることなく製造することができる。
【手続補正８】
【補正対象書類名】明細書
【補正対象項目名】００２３
【補正方法】変更
【補正の内容】
【００２３】
さらに、前記着色パターンが形成されない部位が、前記着色パターンが形成された部位の周囲に設けられていることが望ましい。
【手続補正９】
【補正対象書類名】明細書
【補正対象項目名】００２４
【補正方法】変更
【補正の内容】
【００２４】
また、前記着色パターンは複数の着色パターンでなるようにしても良い。
【手続補正１０】
【補正対象書類名】明細書
【補正対象項目名】００２５
【補正方法】変更
【補正の内容】
【００２５】
この手段においても、画素領域内に複数の分割パターン部を備えたカラーフィルタが形成されているため、入射光又は反射光を充分に変調することができ、表示品位を確実に向上させることができる。
【手続補正１１】
【補正対象書類名】明細書
【補正対象項目名】００２６
【補正方法】変更
【補正の内容】
【００２６】
また、本発明においては前記カラーフィルタが赤、青、緑の色を含むことが望ましい。
【手続補正１２】
【補正対象書類名】明細書
【補正対象項目名】００２７
【補正方法】変更
【補正の内容】
【００２７】
また、本発明が講じた手段は対向する一対の基板間に液晶を挟持してなり、前記基板の内面に形成された一対の電極によって形成される画素領域を複数有する液晶表示装置の製造方法において、複数の色を含むカラーフィルタを形成する工程と、前記画素領域に反射層を形成する工程と、を具備し、前記カラーフィルタを形成する工程において、前記画素領域に、前記カラーフィルタの着色パターンを部分的に形成し、前記着色パターンが形成された部分の面積を、前記色同士で互いに異ならせることを特徴とする。